(57)【要約】      （修正有）【課題】ワインセラーの庫内温度が設定値から逸脱する前兆をとらえて報知するワインセラー、ワインセラー管理システム及び遠隔報知端末を提供する。【解決手段】扉１１の開状態を開閉検知手段１２でとらえて報知する。また、ワインセラー管理システムは、扉の開閉を表す情報を外部へ送信するワインセラーと、ワインセラーにより送信された情報を受信して扉が開かれたことを報知する遠隔報知端末とを備えている。【選択図】図１
2006029599.tif 000002
【特許請求の範囲】
【請求項１】
庫内温度を制御する庫内温度制御手段と、開閉可能な扉と、前記扉の開閉を検知する開閉検知手段と、前記開閉検知手段により前記扉の開状態が検知されたことを報知する報知手段とを備えたワインセラー。
【請求項２】
庫内温度を制御する庫内温度制御手段と、開閉可能な扉と、前記扉の開閉を検知する開閉検知手段と、前記開閉検知手段の検知結果を表わす情報を外部へと送信する送信手段とを備えたワインセラー。
【請求項３】
扉の開閉を表わす情報を外部へ送信するワインセラーと、前記ワインセラーにより送信された情報を受信して前記扉が開かれたことを報知する遠隔報知端末とを備えたワインセラー管理システム。
【請求項４】
遠隔報知端末はワインセラーの扉が閉状態となった後も前記扉が開状態になったことを報知し続ける構成とした請求項３記載のワインセラー管理システム。
【請求項５】
遠隔報知端末は、ユーザを認証する認証手段と、前記認証手段によりユーザが認証された場合にのみ報知を解除する解除手段とを備えた請求項４記載のワインセラー管理システム。
【請求項６】
送信手段は扉の開閉を表わす情報を無線で送信する構成とした請求項３記載のワインセラー管理システム。
【請求項７】
送信手段は扉の開閉を表わす情報を電力線に重畳して送信する構成とした請求項３記載のワインセラー管理システム。
【請求項８】
扉の開閉を表わす情報をワインセラーから受信して前記扉が開かれたことを報知する遠隔報知端末。
【発明の詳細な説明】
【技術分野】
【０００１】
本発明は、庫内温度を制御してワインを長期間保存し熟成させるワインセラーに関するものであり、特に、庫内温度が設定値から逸脱する前兆を捕らえて早期に報知するワインセラー、ワインセラー管理システム、及び遠隔報知端末に関するものである。
【背景技術】
【０００２】
生産後１〜２年の間に気軽に飲まれるワインが多量に流通している一方で、年間数百リットルから数キロリットルしか生産されず、１０年以上の熟成を経て真価を発揮する、希少かつ高品質で、高価なワインも存在する。
【０００３】
こうした貴重なワインを適切に熟成させるには、１４℃から１６℃程度の安定した温度環境が必要とされている。何故ならば、高温はワインを劣化させ、過度の低温は熟成を停止させてしまう。また、温度が変動するとワインの体積が変動し、それに伴って、コルク栓を通して外気が瓶内に出入りするため、ワインを酸化させてしまうからである。
【０００４】
こうした繊細なワインを長期間適切に保存し、熟成させるために、欧州では伝統的に、温度が安定した地下にワイン専用の保存庫が設けられてきたが、近年では、冷却機を用いて庫内温度を一定に保つ専用のワインセラーも利用されている。日本では夏期に高温多湿となるため、ワインを保存し熟成させるにはワインセラーが必須であり、個人使用に適した、収納本数が数十本から百本程度のものが市販されている。
【０００５】
ワインセラーは所謂冷蔵庫と類似の構造を持つが、通常の冷蔵庫とは異なり、冷却機の温度を設定温度よりも数度低い程度に押さえて庫内温度をむらなく小さな変動幅で精密に制御すると共に、外気温度が設定温度よりも低い場合には庫内の加温を可能にし、更に熟成に悪影響を及ぼす振動を押さえるために、コンプレッサを使用せずに庫内温度をペルチェ素子で制御したり（例えば、特許文献１を参照）、人の歩行など日常生活で発生する振動が庫内に伝わるのを低減するために脚部にインシュレータを備えるなど、ワインの熟成に適した庫内環境を実現する工夫がなされている。
【０００６】
また、ワインセラーは、冷却機の故障等で庫内温度が上昇した場合には、高価なワインを劣化させてしまい、一般的な冷蔵庫が故障した場合よりも巨額の経済的損失を生じる危険あるため、早急にユーザに報知することが望ましい。この点に着目し、庫内温度が設定値から逸脱したとき、ワインセラー本体に設けたランプやブザーで警報を発するものも、特許文献としては見出せなかったが既に販売されている。
【０００７】
この他、機器本体の状態を検知する技術としては、ワインセラーと類似の機能と構造を持つ冷蔵庫において、消費電力を押さえる上手な使い方をユーザに啓蒙することを目的として、冷蔵庫の扉の開閉回数を計数し、一日に所定の回数以上開閉された場合に、冷蔵庫が文字や音声で上手な使い方をアドバイスする技術も提案されている（例えば、特許文献２を参照）。この技術において所定の回数を１回とすることは、冷蔵庫の扉を開ける度に毎日何度もアドバイスがなされてユーザに不快感を与えてしまうという弊害が生じるだけで、扉の開閉回数が多過ぎる場合に上手な使い方をアドバイスするという目的にも反する。従って、この技術は冷蔵庫の扉を毎日何度も開閉することを前提としたものであり、所定の回数を１回とすることは暗黙の内に除外している。
【特許文献１】特開平１１−３２５６８９号公報
【特許文献２】特開２００２−１４７９３０号公報
【発明の開示】
【発明が解決しようとする課題】
【０００８】
ワインを理想的な環境で保存し熟成させるためには、ワインセラーの庫内温度が設定値から逸脱した後でユーザに報知するよりも、事前にその前兆を捕らえて報知する方が望ましい。しかしながら、従来のワインセラーでは、こうした事前報知ができないという課題があった。
【０００９】
また、ワインの熟成に好ましくない人の歩行など日常生活で発生する振動をワインに伝えないという観点からは、ワインセラーは地下室や離れなど、人が頻繁に近づかない場所に設置することが望ましい。しかし、こうした場所に設置すると、庫内温度が設定値から逸脱したときにワインセラー本体がランプやブザーで警報を発しても、ユーザには伝わり難い。このため、人が頻繁には近づかない振動の少い場所にワインセラーを設置することと、庫内温度に逸脱が発生したときユーザに報知することとを、両立できないという課題があった。
【課題を解決するための手段】
【００１０】
ワインセラーの庫内温度が設定値から逸脱してしまう原因としては、冷却機などワインセラー自体の故障も考えられるが、日常的には、ワイン収納時に扉を閉じ忘れたり、子供が悪戯をして扉を開けてしまうなど、人的要因で扉が開いてしまう恐れの方が大きい。
【００１１】
また、熟成用のワインセラーの扉を開ける頻度は元来低く、新たに購入したワインを追加したり記念日を祝して高価なワインを飲むときなど数週間から数ヵ月に一度程度に過ぎない。
【００１２】
本発明のワインセラーは、こうしたワインセラー固有の特徴に着目し、上記課題を解決するためになされたものであり、庫内温度を制御する庫内温度制御手段と、開閉可能な扉と、扉の開閉を検知する開閉検知手段と、開閉検知手段により扉の開状態が検知されたことを報知する報知手段を備えている。
【００１３】
また、本発明のワインセラー管理システムは、扉の開閉を表わす情報を外部へ送信するワインセラーと、ワインセラーにより送信された情報を受信して扉が開かれたことを報知する遠隔報知端末を備えている。
【発明の効果】
【００１４】
本発明のワインセラーは、扉の開状態を検知して報知するので、ワインセラーの扉が開かれた場合に、外気が庫内に侵入して庫内温度が設定値から逸脱する前にユーザに報知することができる。
【００１５】
また、本発明のワインセラー管理システムは、扉の開閉を表わす情報を送信し、送信された情報に基づいてワインセラーから離れた場所に設置した遠隔報知端末にて報知するので、遠隔報知端末だけをユーザの日常生活空間近くに設置することにより、人が頻繁には近づかない振動の少い場所にワインセラーを設置しても、ワインセラーの異常を良好ユーザに報知することができる。
【発明を実施するための最良の形態】
【００１６】
第１の発明のワインセラーは、庫内温度を制御する庫内温度制御手段と、開閉可能な扉と、扉の開閉を検知する開閉検知手段と、開閉検知手段により扉の開状態が検知されたことを報知する報知手段とを備えた構成としているので、ワインセラーの扉が開かれた場合に、外気が庫内に侵入して庫内温度が設定値から逸脱する前に早期に報知することができる。
【００１７】
第２の発明のワインセラーは、庫内温度を制御する庫内温度制御手段と、開閉可能な扉と、扉の開閉を検知する開閉検知手段と、開閉検知手段の検知結果を表わす情報を外部へと送信する送信手段とを備えた構成としているので、ワインセラーの扉が開かれた場合に、外気が庫内に侵入して庫内温度が設定値から逸脱する前に、その前兆をワインセラーから離れた場所へ伝えることができる。
【００１８】
第３の発明のワインセラー管理システムは、扉の開閉を表わす情報を外部へ送信するワインセラーと、ワインセラーにより送信された情報を受信して扉が開かれたことを報知する遠隔報知端末とを備えた構成としているので、人が頻繁には近づかない場所にワインセラーを設置しても、ワインセラーの扉が開かれた場合に、外気が庫内に侵入して庫内温度が設定値から逸脱する前に、早期に報知することができる。
【００１９】
第４の発明のワインセラー管理システムは、遠隔報知端末はワインセラーの扉が閉状態となった後も扉が開状態になったことを報知し続ける構成としているので、扉の開状態が報知されていないときには、その瞬間のみならず以前にもワインセラーの扉が開かれていないことがわかり、ユーザに安心感を与えることができる。
【００２０】
第５の発明のワインセラー管理システムは、遠隔報知端末は、ユーザを認証する認証手段と、認証手段によりユーザが認証された場合にのみ報知を解除する解除手段とを備えた構成としているので、誰かがワインセラーの扉を開けた後に報知を無断で解除したのではないことが保証され、ユーザに一層の安心感を与えることができる。
【００２１】
第６の発明のワインセラー管理システムは、送信手段は扉の開閉を表わす情報を無線で送信する構成としているので、ワインセラーと遠隔報知端末とを専用の信号線で結ぶ必要がなく、ワインセラーの設置場所に対する制約条件を低減し、地下室や離れなど人が頻繁に近づかない場所に容易に設置することができる。
【００２２】
第７の発明のワインセラー管理システムは、送信手段は扉の開閉を表わす情報を電力線に重畳して送信する構成としているので、ワインセラーと遠隔報知端末とを専用の信号線で結ぶ必要がなく、ワインセラーの設置場所に対する制約条件を低減し、地下室や離れなど人が頻繁に近づかない場所に容易に設置することができる。
【００２３】
第８の発明の遠隔報知端末は、扉の開閉を表わす情報をワインセラーから受信して扉が開かれたことを報知するので、ワインセラーの扉が開かれた場合に、外気が庫内に侵入して庫内温度が設定値から逸脱する前に、ワインセラーから離れた場所で報知することができる。
【００２４】
以下、本発明の実施の形態について、図面を参照しながら説明する。なお、本実施の形態によって本発明が限定されるものではない。
【００２５】
（実施の形態１）
図１は本発明の実施の形態１のワインセラーを示す構成図である。
【００２６】
図１において、ワインセラー１は、庫内の温度を制御する庫内温度制御手段１０と、開閉可能な扉１１と、扉１１の開閉を検知する開閉検知手段１２と、ワインセラー１の状態を報知する報知手段１３とを備えている。このうち、庫内温度制御手段１０は、庫内の温度を何度に保つべきかという目標温度をダイヤルスイッチで設定する目標温度設定手段１０ａと、サーミスタを用いて庫内の温度を測定する庫内温度測定手段１０ｂと、電流を流す方向に応じて庫内に面した部分が冷却されたり加温されたりするペルチェ素子１０ｄと、ペルチェ素子１０ｄに流す電流を制御する制御手段１０ｃとを備えている。また、報知手段１３は、内部に液晶表示器１３ａとブザー１３ｂとを備えている。
【００２７】
以下、ワインセラー１を構成する各部の動作、作用を説明する。
【００２８】
目標温度設定手段１０ａは、ユーザがダイヤルスイッチを回すことにより、ワインセラー１の庫内温度を何度に保つべきか、すなわち、目標とすべき庫内温度を設定する。以下、説明の都合上、目標として設定された温度を摂氏Ｔ１度で表わす。
【００２９】
庫内温度測定手段１０ｂは、ワインセラー１の庫内空気の温度を測定する。以下、説明の都合上、庫内温度測定手段１０ｂにより測定された温度を摂氏Ｔ２度で表わす。庫内温度測定手段１０ｂは、測定された温度Ｔ２を報知手段１３へと供給する。
【００３０】
制御手段１０ｃは、目標温度設定手段１０ａにより設定された温度Ｔ１と庫内温度測定手段１０ｂにより測定された温度Ｔ２とを読み込み、両者を比較する。比較の結果、予め定められた許容温度誤差ΔＴに対して、Ｔ２＞Ｔ１＋ΔＴである場合には、庫内温度が高過ぎると見なしてペルチェ素子１０ｄの庫内に面した面が摂氏Ｔ１−３度程度になるよう、庫内を冷却させる方向にペルチェ素子１０ｄに通電する。一方、Ｔ２＜Ｔ１−ΔＴである場合には、庫内温度が低過ぎるとみなしてペルチェ素子１０ｄの庫内に面した面が摂氏Ｔ１＋３度程度になるよう、庫内を加温させる方向にペルチェ素子１０ｄに通電する。Ｔ１−ΔＴ≦Ｔ２≦Ｔ１＋ΔＴである場合には、庫内温度が適正であると見なしてペルチェ素子１０ｄには通電しない。
【００３１】
ワインセラー１の庫内の空気はファン（図示せず）の回転によって絶えず緩やかに循環しており、庫内温度測定手段１０ｂ通過して温度を測定された空気は、ペルチェ素子１０ｄに触れて冷却または加温された後、庫内へと導かれ、その後再び庫内温度測定手段１０ｂへと戻ってくる。
【００３２】
このようにして、庫内温度制御手段１０はワインセラー１の庫内温度が目標温度設定手段１０ａで設定された温度を中心として±ΔＴ度程度の誤差に収まるように制御する。ΔＴは庫内温度の変動幅が大きくならないよう、０．５度未満とするのが望ましい。ワインセラー１の庫内温度は、扉１１が閉じられていればこのようにして安定した値に保たれることになる。
【００３３】
開閉検知手段１２は、扉１１が閉じた状態にあるか開いた状態にあるかを常時監視し、扉１１が閉じているときには扉１１が閉じていることを表わす信号値ＣＬＯＳＥを報知手段１３へと供給する。一方、扉１１が開いているときには扉１１が開いていることを表わす信号値ＯＰＥＮを報知手段１３へと供給する。
【００３４】
報知手段１３は、庫内温度測定手段１０ｂから供給された温度Ｔ２を液晶表示器１３ａに常時表示する。また、開閉検知手段１２から信号値ＯＰＥＮが供給されたとき、ブザー１３ｂを鳴動させて扉１１が開いていることをユーザに報知する。開閉検知手段１２から信号値ＣＬＯＳＥが供給されているときには、ブザー１３ｂを鳴動させない。
【００３５】
本実施の形態によれば、ユーザがワインを出し入れするなどした後で扉１１がちゃんと閉じられなかった場合には、ブザー１３ｂの鳴動が停止しないことにより扉１１が開いていることをユーザに報知するので、扉１１の閉め忘れという人為的ミスでワインセラー１の庫内温度が設定値から逸脱してしまい、高価なワインの品質を低下させてしまう危険を未然に防止することができる。
【００３６】
また、子供などが悪戯をして扉１１を開けてしまった場合でも、ブザー１３ｂの鳴動によりユーザに報知するので、庫内温度が設定値から逸脱してしまうのを未然に防止することができる。
【００３７】
なお、熟成用のワインセラー１の扉１１を開ける頻度は元来低く、新たに購入したワインを追加したり記念日を祝して高価なワインを飲むときなど数週間から数ヵ月に一度程度に過ぎないので、扉１１を開ける度にブザー１３ｂが鳴動しても、毎日何度も扉を開ける冷蔵庫のように頻繁にブザー１３ｂが鳴動するわけではないので、ユーザに不快感を与えてしまう恐れはない。
【００３８】
（実施の形態２）
図２は本発明の実施の形態２のワインセラー管理システムを示す構成図である。
【００３９】
図２において、ワインセラー２は、庫内の温度を制御する庫内温度制御手段１０と、開閉可能な扉１１と、扉１１の開閉を検知する開閉検知手段１２と、開閉検知手段１２の検知結果を表わす情報を特定小電力無線で外部へと送信する送信手段２０とを備えている。また、ワインセラー２から離れた場所に置かれ、ワインセラー２の状態を報知する遠隔報知端末３は、送信手段２０から送信された情報を受信する受信手段３０と、扉１１が開かれたことを記憶する開発生記憶手段３１と、ワインセラー２の状態を報知する報知手段１３と、ユーザを認証する認証手段３２と、報知手段１３による報知を解除する解除手段３３とを備えている。開発生記憶手段３１は、初期値として扉１１閉じていることを表わす信号値ＣＬＯＳＥを記憶している。その他、実施の形態１と同一の構成要素については実施の形態１と同じ符合を付し、詳しい説明は省略する。
【００４０】
次に、動作、作用について説明する。
【００４１】
庫内温度制御手段１０は、ワインセラー２の庫内温度をユーザが設定した温度に保つよう制御する。また、庫内温度を送信手段２０へと供給する。この動作は実施の形態１と同じなので、詳しい説明は省略する。
【００４２】
開閉検知手段１２は、扉１１が閉じた状態にあるか開いた状態にあるかを常時監視し、扉１１が閉じているときには扉１１が閉じていることを表わす信号値ＣＬＯＳＥを送信手段２０へと供給する。一方、扉１１が開いているときには扉１１が開いていることを表わす信号値ＯＰＥＮを送信手段２０へと供給する。
【００４３】
送信手段２０は、庫内温度制御手段１０から供給された庫内温度と、開閉検知手段１２から供給された信号値を、遠隔報知端末３中の受信手段３０へと送信する。
【００４４】
受信手段３０は、送信手段２０から供給された庫内温度と、扉１１の状態を表わす信号値ＣＬＯＳＥまたはＯＰＥＮを受信し、庫内温度を報知手段１３へ、信号値ＣＬＯＳＥまたはＯＰＥＮを開発生記憶手段３１へと供給する。
【００４５】
報知手段１３は受信手段３０から供給された庫内温度を液晶表示器１３ａに表示する。
【００４６】
開発生記憶手段３１は、初期値として扉１１が閉じていることを表わす信号値ＣＬＯＳＥを記憶している。開発生記憶手段３１は、受信手段３０から信号値ＣＬＯＳＥが供給されたときにはそれまで記憶している値を記憶し続け、信号値ＯＰＥＮが供給されたときには供給された信号値ＯＰＥＮを記憶する。従って、開発生記憶手段３１は、ワインセラー２の扉１１が一度も開かれず、信号値ＯＰＥＮが供給されない間は信号値ＣＬＯＳＥを記憶し続け、ワインセラー２の扉１１が一度でも開かれて信号値ＯＰＥＮが供給された後は、信号値ＯＰＥＮを記憶し続けることになる。開発生記憶手段３１は、この記憶している値を報知手段１３へと供給する。
【００４７】
報知手段１３は、開発生記憶手段３１から信号値ＯＰＥＮが供給されたとき、ブザー１３ｂを鳴動させて扉１１が開いていることをユーザに報知する。開発生記憶手段３１から信号値ＣＬＯＳＥが供給されているときには、ブザー１３ｂを鳴動させない。従って、報知手段１３は、ワインセラー２の扉１１が一度も開かれない間は鳴動せず、ワインセラー２の扉１１が一度でも開かれた後は鳴動し続けることになる。
【００４８】
認証手段３２は、キーボード（図示せず）からユーザに暗証番号を入力させ、入力された暗証番号が予め登録されている暗証番号と一致した場合には、認証が成功したことを表わす信号値ｐａｓｓを解除手段３３に供給する。暗証番号が入力されない場合、及び、入力された暗証番号が予め登録されている暗証番号と一致しない場合には、信号値ｐａｓｓを供給しない。
【００４９】
解除手段３３は、認証手段３２から信号値ｐａｓｓが供給されたとき、開発生記憶手段３１をリセットする。
【００５０】
開発生記憶手段３１はリセットされたとき、記憶内容を初期値ＣＬＯＳＥに再初期化する。この結果、報知手段１３中のブザー１３ｂは鳴動しなくなる。
【００５１】
本実施の形態によれば、ワインセラー２の扉１１が開かれたときには、扉１１が開かれたことを表わす情報を送信手段２０が無線で外部へと送信し、遠隔報知端末３がその情報を受信してブザー１３ｂを鳴動させて報知するので、遠隔報知端末３を日常の生活空間に設置することにより、地下室や離れなど人が頻繁に近づかない場所に設置されたワインセラー２の扉１１を、子供が悪戯などで開けてしまった場合でも、庫内温度が設定値から逸脱してしまう前に、その危険をユーザに対して良好に報知することができる。
【００５２】
また、一度でも扉１１が開かれた場合には、ブザー１３ｂが鳴動し続けるので、ブザー１３ｂが鳴動していない場合には誰も扉１１を開けていないことが保証され、ユーザにワインがよい状態で熟成されているという安心感を与えることができる。
【００５３】
更に、ブザー１３ｂの鳴動を停止させるためには、認証手段３２によるユーザ認証を得なければならないので、誰かが無断でブザー１３ｂの鳴動を停止させたりしていないという一層の安心感を、ユーザに与えることができる。
【００５４】
また、送信手段２０は無線を利用して遠隔報知端末３へと情報を送信するので、ワインセラー２と遠隔報知端末３を結線する必要がなく、ワインセラー２の設置場所と遠隔報知端末３の設置場所を自由に決めることができる。また、無線として特定小電力無線を利用するので、個別に無線局免許や無線従事者免許を取得することなく、ワインセラー２を設置できる。
【００５５】
なお、送信手段２０は特定小電力無線の代わりに、高周波信号に変換した情報を、電力線に重畳して送信してもよい。この場合には、１０キロヘルツ〜４５０キロヘルツの周波数帯で所謂エコーネット（Ｒ）規格に準拠した通信を行ってもよいし、重畳する信号周波数に対する法的規制が緩和された場合には、電力線インターネットなどで想定されている、より高い周波数を用いても構わない。このようにした場合でも、ワインセラー２と遠隔報知端末３を個別に結線する必要はないので、ワインセラー２の設置場所と遠隔報知端末３の設置場所を自由に決めることができる。
【００５６】
認証手段３２がユーザを認証する方法は、カメラを用いて網膜パターンを照合したり、指紋や声紋を分析するなど、別の認証技術を用いても勿論構わない。
【産業上の利用可能性】
【００５７】
本発明は、ワインを保存、熟成させるワインセラーに利用可能である。
【図面の簡単な説明】
【００５８】
【図１】本発明の実施の形態１におけるワインセラーの構成図
【図２】本発明の実施の形態２におけるワインセラー管理システムの構成図
【符号の説明】
【００５９】
１、２  ワインセラー
３  遠隔報知端末
１０  庫内温度制御手段
１１  扉
１２  開閉検知手段
１３  報知手段
２０  送信手段
３２  認証手段
３３  解除手段
【図１】
2006029599.tif 000003
【図２】
2006029599.tif 000004